【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
第１蓄電池（１１）と第２蓄電池（１２）とを備え、第１電気負荷（１５）と第２電気負荷（１６）とに対して前記第１蓄電池及び前記第２蓄電池の少なくとも一方から電力を供給する電源システムに適用され、
前記第１蓄電池から前記第２電気負荷に電力供給する第１経路（Ｌ１）に設けられた第１スイッチ（２１）と、
前記第２蓄電池から前記第２電気負荷に電力供給する第２経路（Ｌ２）に設けられた第２スイッチ（２２）と、
前記第１蓄電池及び前記第１スイッチの間の第１分岐点（Ｎ１）と、前記第２蓄電池及び前記第２スイッチの間の第２分岐点（Ｎ２）とを接続する接続経路（Ｌ３，Ｌ４）において、直列でかつ順方向が向き合うように互いに逆向きに接続された第１ダイオード（Ｄ１）及び第２ダイオード（Ｄ２）と、
を備え、
前記第１ダイオード及び前記第２ダイオードの少なくともいずれかは、前記接続経路において半導体スイッチ（２３，２４）の入出力端子間に並列に接続されて設けられており、
前記第１ダイオード及び前記第２ダイオードのうち前記第１蓄電池の側の前記第１ダイオードのアノードが前記第１分岐点に接続された構成と、前記第２蓄電池の側の前記第２ダイオードのアノードが前記第２分岐点に接続された構成との少なくともいずれかを有し、
前記第１ダイオード及び前記第２ダイオードの各カソードの間となる中間点（Ｎ３）に、前記第１電気負荷に電力供給する給電経路（Ｌ５）が接続される構成となっている電源装置。
【請求項２】
前記第１電気負荷への電力供給時に、前記第１蓄電池及び前記第２蓄電池における放電の優先度に基づいて前記半導体スイッチのオンオフを制御する制御部（３０）を備える請求項１に記載の電源装置。
【請求項３】
前記第１ダイオードは、前記中間点に対して前記第１蓄電池の側において第１半導体スイッチ（２３）の入出力端子間に並列に接続されて設けられ、前記第２ダイオードは、前記中間点に対して前記第２蓄電池の側において第２半導体スイッチ（２４）の入出力端子間に並列に接続されて設けられており、
前記制御部は、前記第１スイッチがオン、前記第２スイッチがオフの場合に、前記第１半導体スイッチをオフ、前記第２半導体スイッチをオンに制御し、前記第１スイッチがオフ、前記第２スイッチがオンの場合に、前記第１半導体スイッチをオン、前記第２半導体スイッチをオフに制御する請求項２に記載の電源装置。
【請求項４】
前記第１ダイオードは、前記中間点に対して前記第１蓄電池の側において第１半導体スイッチ（２３）の入出力端子間に並列に接続されて設けられ、前記第２ダイオードは、前記中間点に対して前記第２蓄電池の側において第２半導体スイッチ（２４）の入出力端子間に並列に接続されて設けられており、
前記第１蓄電池と前記第２蓄電池とは蓄電状態に対する開放電圧の相関が相違しており、
前記制御部は、前記各蓄電池における開放電圧の差に基づいて、前記第１半導体スイッチ及び前記第２半導体スイッチのオンオフを制御する請求項２又は３に記載の電源装置。
【請求項５】
前記第２蓄電池は、前記第１蓄電池に比べて充放電時のエネルギ効率が高い蓄電池であり、
前記第１ダイオード及び前記第２ダイオードのうち前記中間点に対して前記第２蓄電池の側の前記第２ダイオードのみが、前記半導体スイッチの入出力端子間に並列に接続されて設けられている請求項１又は２に記載の電源装置。
【請求項６】
前記接続経路において前記中間点を挟んで一方の側には、各々に入出力端子間に並列に接続されたダイオード（Ｄ３，Ｄ４）を有し、そのダイオードの向きが互いに逆向きとされた状態で直列接続された一対の半導体スイッチ（５１，５２）が設けられており、
前記一対の半導体スイッチのうちいずれかの半導体スイッチの側の前記ダイオードにより、前記第１ダイオード及び前記第２ダイオードのいずれかが構成されている請求項１又は２に記載の電源装置。
【請求項７】
前記第２蓄電池は、前記第１蓄電池に比べて充放電時のエネルギ効率が高い蓄電池であり、
前記接続経路において前記中間点を挟んで両側のうち前記第２蓄電池の側に、前記一対の半導体スイッチが設けられている請求項６に記載の電源装置。
【請求項８】
第１蓄電池（１１）と第２蓄電池（１２）とを備え、前記第１蓄電池と前記第２蓄電池とは蓄電状態に対する開放電圧の相関が相違しており、第１電気負荷（１５）と第２電気負荷（１６）とに対して前記第１蓄電池及び前記第２蓄電池の少なくとも一方から電力を供給する電源システムに適用され、
前記第１蓄電池から前記第２電気負荷に電力供給する第１経路（Ｌ１）に設けられた第１スイッチ（２１）と、
前記第２蓄電池から前記第２電気負荷に電力供給する第２経路（Ｌ２）に設けられた第２スイッチ（２２）と、
前記第１蓄電池及び前記第１スイッチの間の第１分岐点（Ｎ１）と、前記第２蓄電池及び前記第２スイッチの間の第２分岐点（Ｎ２）とを接続する接続経路（Ｌ３，Ｌ４）において、直列でかつ順方向が向き合うように互いに逆向きに接続された第１ダイオード（Ｄ１）及び第２ダイオード（Ｄ２）と、
を備え、
前記第１ダイオードは、前記第１ダイオード及び前記第２ダイオードの各カソードの間となる中間点（Ｎ３）に対して前記第１蓄電池の側において第１半導体スイッチ（２３）の入出力端子間に並列に接続されて設けられ、前記第２ダイオードは、前記中間点に対して前記第２蓄電池の側において第２半導体スイッチ（２４）の入出力端子間に並列に接続されて設けられており、
前記中間点に、前記第１電気負荷に電力供給する給電経路（Ｌ５）が接続される構成となっており、
前記各蓄電池における開放電圧の差に基づいて、前記第１半導体スイッチ及び前記第２半導体スイッチのオンオフを制御する制御部（３０）を備える電源装置。
【請求項９】
前記制御部は、前記第１スイッチがオン、前記第２スイッチがオフの場合に、前記第１半導体スイッチをオフ、前記第２半導体スイッチをオンに制御し、前記第１スイッチがオフ、前記第２スイッチがオンの場合に、前記第１半導体スイッチをオン、前記第２半導体スイッチをオフに制御する請求項８に記載の電源装置。
【請求項１０】
第１蓄電池（１１）と第２蓄電池（１２）とを備え、前記第２蓄電池は、前記第１蓄電池に比べて充放電時のエネルギ効率が高い蓄電池であり、第１電気負荷（１５）と第２電気負荷（１６）とに対して前記第１蓄電池及び前記第２蓄電池の少なくとも一方から電力を供給する電源システムに適用され、
前記第１蓄電池から前記第２電気負荷に電力供給する第１経路（Ｌ１）に設けられた第１スイッチ（２１）と、
前記第２蓄電池から前記第２電気負荷に電力供給する第２経路（Ｌ２）に設けられた第２スイッチ（２２）と、
前記第１蓄電池及び前記第１スイッチの間の第１分岐点（Ｎ１）と、前記第２蓄電池及び前記第２スイッチの間の第２分岐点（Ｎ２）とを接続する接続経路（Ｌ３，Ｌ４）において、直列でかつ順方向が向き合うように互いに逆向きに接続された第１ダイオード（Ｄ１）及び第２ダイオード（Ｄ２）と、
を備え、
前記第１ダイオード及び前記第２ダイオードのうち前記第２蓄電池の側の前記第２ダイオードのみが、前記接続経路において半導体スイッチ（２４）の入出力端子間に並列に接続されて設けられており、
前記第１ダイオード及び前記第２ダイオードの各カソードの間となる中間点（Ｎ３）に、前記第１電気負荷に電力供給する給電経路（Ｌ５）が接続される構成となっている電源装置。
【請求項１１】
前記第１電気負荷への電力供給時に、前記第１蓄電池及び前記第２蓄電池における放電の優先度に基づいて前記半導体スイッチのオンオフを制御する制御部（３０）を備える請求項１０に記載の電源装置。
【請求項１２】
前記第１電気負荷は、供給電力の電圧が一定又は少なくとも所定範囲内で変動するよう安定であることが要求される電気負荷である請求項１乃至１１のいずれか１項に記載の電源装置。
【請求項１３】
前記給電経路に給電スイッチ（２５）が設けられている請求項１乃至１２のいずれか１項に記載の電源装置。
【請求項１４】
前記第１蓄電池及び前記第２蓄電池に対して充電用の電力を供給する発電機（１７）を備え、前記第１経路を介して前記発電機から前記第１蓄電池への充電を可能とし、前記第２経路を介して前記発電機から前記第２蓄電池への充電を可能とするものであり、
前記第１経路及び前記第２経路は、前記発電機からの発電電力を流す大電力経路であり、前記接続経路及び前記給電経路は、前記第１経路及び前記第２経路よりも最大許容電力の小さい小電力経路である請求項１乃至１３のいずれか１項に記載の電源装置。